(57)【要約】【課題】  アルカリ水の洗浄機能を有効に活用できるとともに、便器と水洗トイレに付設されている貯水タンクの殺菌、洗浄を行うことができる洗浄水生成装置を提供する。【解決手段】  水洗トイレＤの貯水タンクＢに付設される洗浄水生成装置１００であって、陽極室１１２と陰極室１１３とが隔膜１１４により区画された電解槽１１０により酸性水及びアルカリ水を生成し、これら酸性水及びアルカリ水を水洗トイレＤの貯水タンクＢ内に交互に放出するようにするとともに、陽極室１１２の陽極１１２ａと陰極室１１３の陰極１１３ａ間の通電時期及び通電時間を制御する。【選択図】図２
2006207328.tif 000002
【特許請求の範囲】
【請求項１】
便器Ａ、水道水供給管Ｅに連なる貯水タンクＢ及び蓋Ｃからなる水洗トイレＤの該貯水タンクＢに付設される洗浄水生成装置１００であって、
前記洗浄水生成装置１００は、酸性水を生成する陽極室１１２とアルカリ水を生成する陰極室１１３とが隔膜１１４により区画された電解槽１１０を備え、前記電解槽１１０は、原水を電解槽１１０に供給する原水導入管１１５と、生成された酸性水及びアルカリ水を貯水タンクＢ内に個別に放出するように陽極室１１２と陰極室１１３に酸性水導出管１１８及びアルカリ水導出管１１９を設けるとともに、前記陽極室１１２の陽極１１２ａと陰極室１１３の陰極１１３ａ間の通電時期及び通電時間とを制御する制御装置１３０を備えていることを特徴とする洗浄水生成装置。
【請求項２】
前記制御装置１３０は、所定時間トイレの使用がないことを検出して、前記通電時期での通電を停止する制御手段１３２を備えていることを特徴とする請求項１に記載の洗浄水生成装置。
【請求項３】
前記電解槽１１０に供給する原水又は電解槽１１０中の原水に電解質を添加する電解質貯留槽１２０を備えていることを特徴とする請求項１又は２に記載の洗浄水生成装置。
【請求項４】
前記電解質貯留槽１２０は、電解槽１１０の原水導入管１１５に連結されていることを特徴とする請求項３に記載の洗浄水生成装置。
【請求項５】
前記電解質貯留槽１２０及び／又は原水導入管１１５は、原水に対する電解質の添加量を制御する制御手段１２１、１２２を備えていることを特徴とする請求項３又は４に記載の洗浄水生成装置。
【請求項６】
前記電解槽１１０は、陽極室１１２で発生した塩素ガスを陰極室１１３のアルカリ水内に放出するように、陽極室１１２の上部と陰極室１１３の下部とを接続する連通管１４０を備えていることを特徴とする請求項１〜５のいずれかに記載の洗浄水生成装置。
【請求項７】
水供給用の装置に付設することを特徴とする請求項１〜５のいずれかに記載の洗浄水生成装置。
【請求項８】
水供給用の装置が、水供給可能なタンク無しトイレ、洗面所、調理場、風呂、銭湯又は温泉から選ばれた装置に付設したものであることを特徴とする請求項７記載の洗浄水生成装置。
【発明の詳細な説明】
【技術分野】
【０００１】
本発明は、水洗トイレの貯水タンク及び便器に定期的に殺菌水及び洗浄水を供給する洗浄水生成装置に関する。
【背景技術】
【０００２】
従来、水道等の塩素イオン含有水を電気分解して得られる殺菌性のある処理水でトイレ使用後あるいは定期的に便器を殺菌洗浄して、臭気や尿石等の固形分付着を防止する洗浄装置としては、供給源に接続された給水管から各便器毎に分岐する洗浄用配管とは別に電解用分岐管を分岐させ、この電解用分岐管に、少なくとも一対の電極と、電極間に形成された流路とを有する連続式電気分解槽を設け、この連続式電気分解槽に導入された洗浄水を電気分解して、強い殺菌力を有する遊離塩素を生成させ、この遊離塩素を含有する殺菌水を適宜のタイミングで便器に供給するものがある（特許文献１参照）。
【０００３】
また、食塩などの電解質を原水に添加して電気分解し、得られた殺菌性のある処理水で便器を確実に殺菌洗浄を行うことができるように、電解水電解質を含む溶液を蓄える電解質溶液貯蔵手段と、少なくとも一対の電極を内蔵し、電解質を含む溶液を電気分解する電解手段と、この電解手段で電気分解された処理水を便器内に吐出する吐出手段とこれらプロセスを制御する制御手段を備えたものもある（特許文献２参照）。
【０００４】
さらに、殺菌水を得るような電解装置では、電解質を含む水を電解すると、強酸性水から発生する塩素ガスによって、人体や設備機器等へ悪影響が生ずるため、このような悪影響を極力防止するように、直流電源の陽極にて生成された塩素ガスをアルカリ性溶液と混合する混合手段を設けたものがある（特許文献３参照）。
【０００５】
【特許文献１】特開平０９−１４４１０３号公報
【特許文献２】特開２０００−０２７２６３号公報
【特許文献３】特開平０７−２９００６０号公報
【発明の開示】
【発明が解決しようとする課題】
【０００６】
ところが、一般的な水洗トイレは貯水タンクが設けられており、この貯水タンクは、上面に手洗いを兼ねた蓋を載置したり、蓋により密閉したもので、貯水タンクの内部にはフロートや配管があるため清掃し難く、そのため、貯水タンク内が汚れたり、カビが発生し、悪臭成分やカビ胞子がトイレ室内に飛散するという問題がある。しかしながら、前述した電解により生成した殺菌水により便器を殺菌するものでは、殺菌水を直接便器に放出するもので、このような問題に対処できない。また、電解により酸性水とアルカリ水を分離して取り出すものではないため、アルカリ水の洗浄機能を有効に活用できないという問題もある。
【０００７】
さらに、電解により陽極室から発生する塩素ガスをアルカリ水で処理するものでは、酸性水を殺菌水として取り出すことを目的とするもので、処理後のアルカリ液は廃棄するものであり、前述した従来技術と同様にアルカリ液を有効に活用できないという問題がある。
【０００８】
そこで、本発明の技術的課題は、アルカリ水の洗浄機能を有効に活用できるとともに、便器と水洗トイレに付設されている貯水タンクの殺菌、洗浄を行うことができる洗浄水生成装置を提供することにある。
【課題を解決するための手段】
【０００９】
請求項１に係る発明は、便器Ａ、水道水供給管Ｅに連なる貯水タンクＢ及び蓋Ｃからなる水洗トイレの該貯水タンクに接続される洗浄水生成装置であって、前記洗浄水生成装置は、酸性水を生成する陽極室とアルカリ水を生成する陰極室とが隔膜により区画された電解槽を備え、前記電解槽は、原水を電解槽に供給する導入管と、生成された酸性水及びアルカリ水を貯水タンク内に個別に放出するように陽極室と陰極室に酸性水及びアルカリ水導出管を設けるとともに、前記陽極室の陽極と陰極室の陰極間の通電時期及び通電時間とを制御する制御装置を備えることによって、前記課題を解決したものである。
【００１０】
請求項２に係る発明は、請求項１に係る発明において、制御装置が、所定時間トイレの使用がないことを検出して、通電時期での通電を停止する制御手段を備えていることによって、前記課題を解決したものである。
【００１１】
請求項３に係る発明は、請求項１又は２に係る発明において、電解槽に供給する原水又は電解槽中の原水に電解質を添加する電解質貯留槽を備えていることによって、前記課題を解決したものである。
【００１２】
請求項４に係る発明は、請求項３に係る発明において、電解質貯留槽は、電解槽の原水導入管に連結されていることによって、前記課題を解決したものである。
【００１３】
請求項５に係る発明は、請求項３又は４に係る発明において、電解質貯留槽及び／又は原水導入管は、原水に対する電解質の添加量を制御する制御手段を備えていることによって、前記課題を解決したものである。
【００１４】
請求項６に係る発明は、請求項１〜５のいずれかに記載の発明において、電解槽は、陽極室で発生した塩素ガスを陰極室のアルカリ水内に放出するように、陽極室の上部と陰極室の下部とを接続する連通管を備えていることによって、前記課題を解決したものである。
【００１５】
請求項７に係る発明は、請求項１〜５のいずれかに記載の発明における装置を、水供給用の装置に付設することによって、前記課題を解決したものである。
【００１６】
請求項８に係る発明は、上記請求項７の水供給用の装置が、水供給可能なタンク無しトイレ、洗面所、調理場、風呂、銭湯又は温泉から選ばれた装置に付設したものによって前記課題を解決したものである。
【発明の効果】
【００１７】
本発明は、水洗トイレの貯水タンクに付設される洗浄水生成装置であって、電解槽で生成した酸性水及びアルカリ水は、貯水タンクに放出されて貯水タンクの洗浄が行われ、トイレ使用時に、殺菌成分が含まれた貯水タンク内の水により便器の殺菌が行われるため、水洗トイレの水回り部を常に清潔な状態に維持することができる。
【００１８】
本発明の第１の発明は、洗浄水生成装置が、酸性水を生成する陽極室とアルカリ水を生成する陰極室とが隔膜により区画された電解槽を備え、前記電解槽は、原水を電解槽に供給する導入管と、生成された酸性水及びアルカリ水を貯水タンク内に個別に放出するように陽極室と陰極室に酸性水及びアルカリ水導出管を設けているため、殺菌機能を有する酸性水と洗浄機能を有するアルカリ水を区分して生成できるとともに、生成した酸性水とアルカリ水を個別に貯水タンク内に放出できるので、酸性水の殺菌機能とアルカリ水の洗浄機能が有効に発揮でき、貯水タンク内でのカビの汚れの発生を防止することができる。また、陽極室の陽極と陰極室の陰極間の通電時期及び通電時間とを制御する制御装置を備えているので、酸性水及びアルカリ水を殺菌及び洗浄に必要な量を生成することができ、無駄な電解を行うことがない。
【００１９】
本願第２の発明は、請求項１に係る発明が奏する効果に加え、制御装置が、所定時間トイレの使用がないことを検出して、通電時期での通電を停止する制御手段を備えているので、長期の不使用時での電解水の連続生成を阻止して、塩素ガス等が多量に発生することを防止できる。
【００２０】
本願第３の発明は、第１又は第２の発明が奏する効果に加え、電解槽に供給する原水又は電解槽中の原水に電解質を添加する電解質貯留槽を備えているので、原水中に電解質を添加して電気抵抗を下げて電気分解を低電圧で行うことができるとともに、高酸性水及び高アルカリ水を効率よく生成することができる。
【００２１】
本願第４の発明は、上記第３の発明が奏する効果に加え、電解質貯留槽が、電解槽の原水導入管に連結されているので、原水への電解質の添加を容易にすることができる。
【００２２】
本願第５の発明は、上記第３又は４の発明が奏する効果に加え、電解質貯留槽及び／又は原水供給管は、原水に対する電解質の添加量を制御する制御手段を備えているので、電解槽や貯水タンク内での酸性水及びアルカリ水の濃度を適切に保つことができる。
【００２３】
本願第６の発明は、上記第１〜５の発明が奏する効果に加え、陽極室で発生した塩素ガスを陰極室のアルカリ水内に放出するように、陽極室の上部と陰極室の下部とを接続する連通管を備えているので、陽極室で発生した塩素ガスは、アルカリ水に吸収され、電解槽から外部に放出されないため、人体や設備機器等への影響が防止でき、また、アルカリ水中に放出された塩素ガスは次亜塩素酸を生成して、アルカリ水に殺菌機能を付与することができる。
【００２４】
また、上記第７及び８の発明は、上記第１〜５のいずれかの発明における装置を、水供給可能なタンク無しトイレ、洗面所、調理場、風呂、銭湯又は温泉から選ばれた装置に付設したものとすることによって、前記同様の効果を発揮せしめることができる。
【発明を実施するための最良の形態】
【００２５】
本発明の洗浄水生成装置は、水洗トイレの貯水タンクに付設され、酸性水を生成する陽極室とアルカリ水を生成する陰極室とが隔膜により区画された電解槽を備え、前記電解槽は、原水を電解槽に供給する原水導入管と、生成された酸性水及びアルカリ水を貯水タンク内に個別に放出するように陽極室と陰極室に酸性水及びアルカリ水導出管を設けるとともに、前記陽極室の陽極と陰極室の陰極間の通電時期及び通電時間とを制御する制御装置を備えるものであって、電解槽から放出される酸性水とアルカリ水が貯水タンクに放出できれば、洗浄水生成装置の配置は、貯水タンクの外側でも内部でもよい。また、制御装置は、通電時期及び通電時間とを制御できれば、何れの制御手段でもよく、例えば、時間を制御要素とするタイマーや明るさを制御要素とする照度計等を用いることができる。  
【実施例１】
【００２６】
本発明の実施例を図面に基づいて説明する。図１は、洗浄水生成装置を付設したトイレ設備の概略図であり、図２は、洗浄水生成装置の断面図であり、図３は、制御装置の作動説明図であり、図４は、第２実施例の洗浄水生成装置の断面図であり、図５は、第３実施例の洗浄水生成装置の断面図である。
本発明の洗浄水生成装置１００は、図１に示すように、便器Ａ及び蓋Ｃを備えた貯水タンクＢからなるような水洗トイレＤの貯水タンクＢに付設されるもので、洗浄水生成装置１００の上部には、貯水タンクBに原水を導入する水道水供給管Ｅの途中から分岐した原水導入管１１５が接続され、下部には、生成した酸性水及びアルカリ水を貯水タンクにそれぞれ供給する酸性水導出管１１８及びアルカリ水導出管１１９が接続されている。
図２は、第１の実施例の洗浄水生成装置１００を示したもので、電解槽１１０を備え、電解槽１１０は、容器本体１１１と容器本体１１１内を陽極室１１２と陰極室１１３とに区画する隔膜１１４及び陽極室１１２内に配置された陽極１１２ａ及び陰極室１１３内に配置された陰極１１３ａからなり、電解槽１１０の上部には、原水導入管１１５から分岐して陽極室１１２に接続された原水導入管１１６と陰極室１１３に接続された導入管１１７が設けられ、下部には、陽極室１１２で生成された酸性水と陰極室１１３で生成されたアルカリ水とを貯水タンクＣ内に放出する酸性水導出管１１８及びアルカリ水導出管１１９が陽極室１１２と陰極室１１３にそれぞれ設けられ、これら導入管１１６、１１７及び導出管１１８、１１９には弁１１６ａ、１１７ａ、１１８ａ、１１９ａが設けられている。
また、原水導入管１１５には、食塩のような電解質溶液を収容する電解質貯留槽１２０が接続され、電解質貯留槽１２０の出口及び原水導入管１１５には、原水に対する電解質の添加量を制御する制御手段である弁１２１、１２２が設けられ、これら弁１２１、１２２のいずれか又は両者を調整することにより、原水中の電解質の添加量を最適範囲に調節するようにしている。
さらに、陽極１１２ａ及び陰極１１３ａは、電源１３１及びタイマー１３２とフロートスイッチ１３３よりなる制御装置１３０を介して電気的に接続され、タイマー１３２により、電極１１２ａ、１１３ａ間の通電時期及び通電時間とを制御するとともに、フロートスイッチ１３３により所定時間トイレの使用がないことを検出して、前記通電時期での通電を停止するように制御している。なお、フロートスイッチに代えて、水流の変化を制御要素とするスイッチとしてもよい。
したがって、電解質が適量添加された原水を、原水導入管１１５、１１６、１１７を介して電解槽１１０に導入した後、両電極１１２ａ、１１３ａ間に通電して、陽極室１１２には酸性水、陰極室１１３にアルカリ水を生成した後、酸性水導出管１１８の弁１１８ａを開いて、次亜塩素酸のような殺菌成分を含む酸性水を放出し、次いで、洗浄機能を有するアルカリ水をアルカリ水導出管１１９の弁１１９ａを開いて交互に放出するように、生成水を個別に貯水タンクＢに放出することにより、生成水の機能を損なうことなく、貯水タンクＢ内の洗浄及び殺菌を行うことができる。また、これら生成水を含む貯水タンクＢ内の水は、殺菌成分を含むので、トイレ使用後に便器Ａに流すことによって殺菌、洗浄を行うことができる。
このときの作動を、図３によって、タイマー１３２及びフロートスイッチ１３３の作動で説明する。
トイレ不使用時は、タイマーがＯＦＦ、フロートスイッチ１３３がＯＮの状態（ｃ）であるが、タイマーが作動して、タイマー１３２及びフロートスイッチ１３３がＯＮの状態（ｄ）となると、電解が開始され、所定時間経過すると前記（ｃ）の状態に戻り、次いで、タイマー１３２及びフロートスイッチ１３３がＯＦＦの状態（ａ）となる。その後、前記（ｃ）の状態に変化させる。
このサイクルにおいて、２回の電解作用の間にトイレが全く使用されなかった場合、すなわち、フロートスイッチ１３３の切り替えが行われなければ、（ａ）の状態が継続され、タイマー１３２がＯＮされてもフロートスイッチ１３３がＯＦＦの状態（ｂ）となり不必要な電解動作を防ぐことができる。
次に、陽極室で発生した塩素ガスを陰極室のアルカリ水内に放出するように、陽極室の上部と陰極室の下部とを接続する連通管を備えた第２実施例及び第３実施例の洗浄水生成装置を図４、図５により説明する。
なお、これら実施例では、第１の実施例と同じ機能の部材は、第１実施例と同じ符号を用いている。
【実施例２】
【００２７】
図４に基づいて第２実施例を説明する。
図４に示すように、洗浄水生成装置１００は、第１の実施例と同様に、電解槽１１０を備え、電解槽１１０は、容器本体１１１と容器本体１１１内を陽極室１１２と陰極室１１３とに区画する隔膜１１４及び陽極室１１２内に配置された陽極１１２ａ及び陰極室１１３内に配置された陰極１１３ａからなり、上部には原水導入管１１６、１１７、下部には、陽極室１１２で生成された酸性水と陰極室１１３で生成されたアルカリ水を貯水タンクB内に放出する酸性水導出管１１８、アルカリ水導出管１１９がそれぞれ設けられ、これら導入管１１６、１１７及び導出管１１８、１１９には弁１１６ａ、１１７ａ、１１８ａ、１１９ａが設けられ、陽極室１１２と陰極室を連通させる連通管１４０が、陽極室１１２の上部と陰極室１１３の下部とを連通するように接続されている。
そして、前記第１実施例と同様に電解処理した後、陰極室１１３のアルカリ水導出管１１９に設けた弁１１９ａを開き、アルカリ水を放出すると、原水導入管１１７の弁１１７ａは閉じているので陰極室１１３は減圧され、原水導入管１１６の弁１１６ａが開いていれば、この減圧によって陽極室１１２で発生した塩素ガスは連通管１４０を通して陰極室１１３底部からアルカリ液中に放出される。その後、陽極室１１２の酸性水導出管１１８の弁１１８ａを開いて、酸性水を放出した後、弁１１８ａ、１１９ａを閉じ、原水導入管１１６、１１７の弁１１６ａ、１１７ａを開いて電解槽に原水を導入する。
【実施例３】
【００２８】
図５に基づいて第３実施例を説明する。
図５に示すように、洗浄水生成装置１００は、第１及び第２の実施例と同様に、電解槽１１０を備え、電解槽１１０は、容器本体１１１と容器本体１１１内を陽極室１１２と陰極室１１３とに区画する隔膜１１４及び陽極室１１２内に配置された陽極１１２ａ及び陰極室１１３内に配置された陰極１１３ａからなり、陽極室には原水の導入管１１５が接続され、下部には、陽極室１１２で生成された酸性水と陰極室１１３で生成されたアルカリ水を貯水タンクB内に放出する酸性水導出管１１８及びアルカリ水導出管１１９がそれぞれ設けられ、これら導入管１１５及び導出管１１８、１１９には弁１１５ａ、１１８ａ、１１９ａが設けられ、陽極室１１２と陰極室１１３を連通させる連通管１４０が、陽極室１１２の上部と陰極室１１３の底部とを連通するように接続され、連通管１４０には、弁１４０ａが設けられている。
ている。
そして、電解処理した後、陽極室１１２の酸性水導出管１１８の弁１１８ａ及び原水導入管１１５の弁１１５ａを開き、酸性水を放出するとともに、陽極室１１２に原水を導入する。陽極室１１２が原水に入れ替わった後、酸性水導出管１１８の弁１１８ａを閉じ、連通管１４０に設けた弁１４０ａとアルカリ水導出管１１９に設けた弁１１９ａを開くと、陽極室１１２上部に貯まっている塩素ガスは、原水の流入圧により連通管１４０を通して陰極室１１３の底部から、陰極室１１３のアルカリ水内に放出され、さらに、連通管１４０を通して陰極室１１３に流入する原水の流入圧によりアルカリ水は上部に設けられているアルカリ水導出管１１９を通して、貯水タンクBの底部に放出される。
なお、第２実施例及び第３実施例も第１実施例と同様に、電極間を通電させる制御装置１３０（図示せず）や電解質貯留槽１２０（図示せず）を備えるものである。
以上、上述したように、本発明の洗浄水生成装置は、酸性水を生成する陽極室とアルカリ水を生成する陰極室とが隔膜により区画された電解槽を備え、前記電解槽は、原水を電解槽に供給する原水導入管と、生成された酸性水及びアルカリ水を貯水タンク内に交互に放出するように陽極室と陰極室に酸性水及びアルカリ水導出管を設けるとともに、前記陽極室の陽極と陰極室の陰極間の通電時期及び通電時間とを制御する制御装置を備えているため、アルカリ水の洗浄機能を有効に活用できるとともに、便器と水洗トイレに付設されている貯水タンクの殺菌、洗浄を行うことができ、常にトイレ室内を清潔に維持できるという顕著な効果を奏するものである。
【図面の簡単な説明】
【００２９】
【図１】本発明の洗浄水生成装置を付設したトイレ設備の概略図
【図２】第１実施例の洗浄水生成装置の断面図
【図３】制御装置の作動説明図
【図４】第２実施例の洗浄水生成装置の断面図
【図５】第３実施例の洗浄水生成装置の断面図
【符号の説明】
【００３０】
１００    洗浄水生成装置    
１１０    電解槽  
１１１    容器本体
１１２    陽極室
１１２ａ  陽極
１１３    陰極室
１１３ａ  陰極
１１４    隔膜
１１５、１１６、１１７        原水導入管
１１５ａ、１１６ａ、１１７ａ  弁    
１１８    酸性水導出管
１１８ａ  弁
１１９    アルカリ水導出管
１１９ａ  弁
１２０    電解質貯留槽
１２１、１２２  弁
１３０    制御装置
１３１    電源
１３２    タイマー
１３３    フロートスイッチ
１４０    連通管
Ａ    便器
Ｂ    貯水タンク
Ｃ    蓋
Ｄ    水洗トイレ
Ｅ    水道水供給管
【図１】
2006207328.tif 000003
【図２】
2006207328.tif 000004
【図３】
2006207328.tif 000005
【図４】
2006207328.tif 000006
【図５】
2006207328.tif 000007